【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
塩化水素を酸素によって酸化して塩素を製造する方法であって、次の触媒を用いる塩素の製造方法。
ルテニウム化合物を担体に担持し、これを塩基性化合物で処理する工程及び還元性化合物で処理する工程を含み、次に酸化して得られる担持酸化ルテニウム触媒
【請求項２】
塩化水素を酸素によって酸化して塩素を製造する方法であって、次の触媒を用いる塩素の製造方法。
ルテニウム化合物を担体に担持し、これを還元剤で処理する工程を含み、一旦酸化数１価以上４価未満のルテニウムとした後、酸化して得られる担持酸化ルテニウム触媒
【請求項３】
塩化水素を酸素によって酸化して塩素を製造する方法であって、次の触媒を用いる塩素の製造方法。
ルテニウム化合物を担体に担持し、これを還元性水素化化合物で還元し、次に酸化して得られる担持酸化ルテニウム触媒
【請求項４】
塩化水素を酸素によって酸化して塩素を製造する方法であって、次の触媒を用いる塩素の製造方法。
ルテニウム化合物を担体に担持し、これを液相で還元処理する工程を含み、次に酸化して得られる担持酸化ルテニウムであって、担体の単位重量当り、ＯＨ基量を０．１×１０-4〜３０×１０-4（ｍｏｌ／ｇ−担体）含有する酸化チタンを担体に使用した担持酸化ルテニウム触媒
【請求項５】
塩化水素を酸素によって酸化して塩素を製造する方法であって、次の触媒を用いる塩素の製造方法。
触媒系が、少なくとも下記の（Ａ）及び（Ｂ）を含有し、該触媒系における（Ｂ）の含有量が１０重量％以上である触媒系
（Ａ）：触媒活性成分
（Ｂ）：２００〜５００℃の範囲の少なくとも一点において測定される固相の熱伝導度が４Ｗ／ｍ・℃以上である化合物成分
【請求項６】
塩化水素を酸素によって酸化して塩素を製造する方法であって、次の触媒を用いる塩素の製造方法。
細孔半径が０．０３マイクロメートルから８マイクロメートルのマクロ細孔である細孔を有する担持酸化ルテニウム触媒
【請求項７】
塩化水素を酸素によって酸化して塩素を製造する方法であって、次の触媒を用いる塩素の製造方法。
担体の外表面に酸化ルテニウムを担持した外表面担持触媒
【請求項８】
塩化水素を酸素によって酸化して塩素を製造する方法であって、次の触媒を用いる塩素の製造方法。
担体に酸化クロムを用いた担持ルテニウム触媒
【請求項９】
還元性化合物が、ヒドラジン、メタノール、エタノール、ホルムアルデヒド、ヒドロキシルアミン、ぎ酸及び酸化還元電位が−０．８〜０．５Ｖを示す化合物の群から選ばれる化合物である請求項１の製造方法。
【請求項１０】
触媒が、ハロゲン化ルテニウム、クロロルテニウム酸塩、オキシルテニウム酸塩、ルテニウムオキシ塩化物、ルテニウムアンミン錯体、ルテニウムアンミン錯体の塩化物、アセチルアセトネート錯体、ルテニウム有機酸塩、ルテニウムニトロシル錯体からなる群から選ばれる少なくとも１種のルテニウム化合物を担体に担持し、これを還元剤で処理する工程を含み、一旦酸化数１価以上４価未満のルテニウムとした後、酸化して得られる担持酸化ルテニウム触媒である請求項２の製造方法。
【請求項１１】
触媒が、ハロゲン化ルテニウム、クロロルテニウム酸塩、オキシルテニウム酸塩、ルテニウムオキシ塩化物、ルテニウムアンミン錯体、ルテニウムアンミン錯体の塩化物、アセチルアセトネート錯体、ルテニウム有機酸塩、ルテニウムニトロシル錯体からなる群から選ばれる少なくとも１種のルテニウム化合物を担体に担持し、塩基性化合物で処理する工程及び還元剤で処理する工程を含み、次に酸化して得られる担持酸化ルテニウム触媒である請求項２の製造方法。
【請求項１２】
還元剤が、還元性化合物である請求項２の製造方法。
【請求項１３】
触媒が、ハロゲン化ルテニウムを担体に担持し、ヒドラジン、メタノール、エタノール又はホルムアルデヒドで処理し、次に酸化して得られた担持酸化ルテニウム触媒である請求項１又は２の製造方法。
【請求項１４】
触媒が、ルテニウム化合物を担体に担持し、ヒドラジン、メタノール、エタノール又はホルムアルデヒドのアルカリ溶液で処理し、次に酸化して得られた担持酸化ルテニウム触媒である請求項１又は２の製造方法。
【請求項１５】
触媒が、ルテニウム化合物を担体に担持し、これをアルカリ処理した後、還元性化合物で処理し、次に酸化して調製した担持酸化ルテニウム触媒である請求項１又は２の製造方法。
【請求項１６】
触媒が、ルテニウム化合物を担体に担持し、これを還元性化合物のアルカリ溶液で処理し、次に酸化して調製した担持酸化ルテニウム触媒である請求項１又は２の製造方法。
【請求項１７】
触媒が、ハロゲン化ルテニウムを担体に担持し、これをアルカリ処理した後、ヒドラジン、メタノール、エタノール又はホルムアルデヒドで処理し、次に酸化して調製した担持酸化ルテニウム触媒である請求項１又は２の製造方法。
【請求項１８】
触媒が、ハロゲン化ルテニウムを担体に担持し、ヒドラジン、メタノール、エタノール又はホルムアルデヒドのアルカリ溶液で処理し、次に酸化して調製した担持酸化ルテニウム触媒である請求項１又は２の製造方法。
【請求項１９】
触媒が、ハロゲン化ルテニウムを担体に担持し、これにアルカリを添加して処理した後に、ヒドラジンで処理し、次に酸化して得られる担持酸化ルテニウム触媒である請求項１又は２の製造方法。
【請求項２０】
触媒が、ハロゲン化ルテニウムを担体に担持し、これをヒドラジンのアルカリ溶液で処理した後、酸化して得られる担持酸化ルテニウム触媒である請求項１又は２の製造方法。
【請求項２１】
触媒が、ハロゲン化ルテニウムを担体に担持し、これにアルカリを添加して処理した後に、ヒドラジンで処理し、これにアルカリ金属塩化物を添加した後、酸化して得られる担持酸化ルテニウム触媒である請求項１又は２の製造方法。
【請求項２２】
触媒が、ハロゲン化ルテニウムを担体に担持し、これをヒドラジンのアルカリ溶液で処理した後、アルカリ金属塩化物を添加して、酸化して得られる担持酸化ルテニウム触媒である請求項１又は２の製造方法。
【請求項２３】
触媒が、ルテニウム化合物を担体に担持し、これを還元性水素化化合物で還元した後、酸化して得られる担持酸化ルテニウム触媒である請求項３の製造方法。
【請求項２４】
触媒が、ルテニウム化合物を担体に担持し、これを還元性水素化化合物で還元し、これにアルカリ金属塩化物を添加した後、酸化して得られる担持酸化ルテニウム触媒である請求項３の製造方法。
【請求項２５】
触媒が、ハロゲン化ルテニウムを担体に担持し、これをアルカリ金属水素化ホウ素化合物で還元した後、酸化して得られる担持酸化ルテニウム触媒である請求項３の製造方法。
【請求項２６】
触媒が、ハロゲン化ルテニウムを担体に担持し、これをアルカリ金属水素化ホウ素化合物で還元し、これにアルカリ金属塩化物を添加した後、酸化して得られる担持酸化ルテニウム触媒である請求項３の製造方法。
【請求項２７】
触媒が、塩化ルテニウムを担体に担持し、これを水素化ホウ素ナトリウムで還元した後、酸化して得られる担持酸化ルテニウム触媒である請求項３の製造方法。
【請求項２８】
触媒が、塩化ルテニウムを担体に担持し、これを水素化ホウ素ナトリウムで還元し、これにアルカリ金属塩化物を添加した後、酸化して得られる担持酸化ルテニウム触媒である請求項３の製造方法。
【請求項２９】
触媒が、ルテニウム化合物を担体に担持し、これを液相で還元処理する工程を含み、次に酸化して得られる担持酸化ルテニウムであって、担体の単位重量当り、ＯＨ基量を０．２×１０-4〜２０×１０-4（ｍｏｌ／ｇ−担体）含有する酸化チタンを担体に使用した担持酸化ルテニウム触媒である請求項４の製造方法。
【請求項３０】
触媒が、ルテニウム化合物を担体に担持し、これを液相で還元処理する工程を含み、次に酸化して得られる担持酸化ルテニウムであって、担体の単位重量当り、ＯＨ基量を３×１０-4〜１５×１０-4（ｍｏｌ／ｇ−担体）含有する酸化チタンを担体に使用した担持酸化ルテニウム触媒である請求項４の製造方法。
【請求項３１】
触媒が、ルテニウム化合物を担体に担持し、これを還元性水素化化合物で還元した後、酸化して得られる担持酸化ルテニウム触媒である請求項４の製造方法。
【請求項３２】
触媒が、ルテニウム化合物を担体に担持し、これを還元性化合物で処理した後、酸化して得られる担持酸化ルテニウム触媒である請求項４の製造方法。
【請求項３３】
触媒が、ルテニウム化合物を担体に担持し、これを還元性化合物のアルカリ溶液で処理した後、酸化して得られる担持酸化ルテニウム触媒である請求項４の製造方法。
【請求項３４】
触媒系が、少なくとも（Ａ）成分、（Ｂ）成分及び触媒担体成分を含有する請求項５の製造方法。
【請求項３５】
（Ａ）成分及び（Ｂ）成分から構成されるものを一体に成形して得られる成形物を触媒として用いる請求項５の製造方法。
【請求項３６】
（Ａ）成分、（Ｂ）成分及び触媒担体成分から構成されるものを一体に成形して得られる成形物を触媒として用いる請求項５の製造方法。
【請求項３７】
（Ａ）成分が（Ｂ）成分に担持されたものから構成される請求項３５の製造方法。
【請求項３８】
（Ａ）成分が触媒担体成分に担持されたものと、（Ｂ）成分から構成される請求項３６の製造方法。
【請求項３９】
（Ａ）成分が触媒担体成分と（Ｂ）成分の混合物に担持されたものによって構成される請求項３６の製造方法。
【請求項４０】
（Ａ）成分及び（Ｂ）成分から構成されるものを一体に成形して得られる成形物と、（Ｂ）成分から構成されるものを一体に成形して得られる成形物の両成形物を触媒系として用いる請求項５の製造方法。
【請求項４１】
（Ａ）成分及び触媒担体成分から構成されるものを一体に成形して得られる成形物と、（Ｂ）成分から構成されるものを一体に成形して得られる成形物の両成形物を触媒系として用いる請求項５の製造方法。
【請求項４２】
（Ｂ）成分がα−アルミナである請求項５及び請求項３４〜４１のうちの一の請求項の製造方法。
【請求項４３】
（Ａ）成分がルテニウムを含有する成分である請求項５及び請求項３４〜４２のうちの一の請求項の製造方法。
【請求項４４】
（Ａ）成分が酸化ルテニウムを含有する成分である請求項４３の製造方法。
【請求項４５】
（Ｂ）成分及び／又は触媒担体成分が、酸化チタンを含有する成分である請求項４３〜４４のうちの一の請求項の製造方法。
【請求項４６】
触媒が、担体の外表面に酸化ルテニウムを担持した外表面担持触媒である請求項６の製造方法。
【請求項４７】
触媒が、アルカリ前含浸法によって調製された外表面担持触媒である請求項７の製造方法。
【請求項４８】
触媒が、酸化クロム担持酸化ルテニウム触媒である請求項８の製造方法。
【請求項４９】
触媒が、酸化クロム担持塩化ルテニウムを焼成して得られる触媒である請求項８の製造方法。